(57)【要約】【課題】空気調和機用の蒸発器および凝縮器として切り換えて用いる熱交換器において、簡単な構成で冷媒偏流を低減でき、性能低下を防止できる熱交換器を提供する。【解決手段】冷媒が流入または流出する上部ポート１１aが一端に設けられ、他端が閉じた上部ヘッダ１１と、上記上部ヘッダ１１の上部ポート１１aに対向する一端が閉じられ、他端に冷媒が流入または流出する下部ポート１２aが設けられた下部ヘッダ１２と、所定の間隔をあけて略並行に配列された上部ヘッダ１１と下部ヘッダ１２との間に、互いに間隔をあけて略平行に接続された複数の扁平管１３とを備える。上記下部ヘッダ１２内に、所定の間隔をあけて複数の絞り部１４を配置する。【選択図】図１
2006029700.tif 000002
【特許請求の範囲】
【請求項１】
空気調和機用の蒸発器および凝縮器として切り換えて用いられる熱交換器であって、
冷媒が流入または流出する上部ポート(１１a)が一端に設けられ、他端が閉じた上部ヘッダ(１１)と、
上記上部ヘッダ(１１)の上部ポート(１１a)に対向する一端が閉じられ、他端に冷媒が流入または流出する下部ポート(１２a)が設けられた下部ヘッダ(１２)と、
上記上部ヘッダ(１１)と上記下部ヘッダ(１２)との間に、互いに間隔をあけて略平行に接続された複数の扁平管(１３)とを備え、
上記下部ヘッダ(１２)内の少なくとも上記下部ポート(１２a)寄りに絞り部(１４)を設けたことを特徴とする熱交換器。
【請求項２】
請求項１に記載の熱交換器において、
上記下部ヘッダ(１２)内の少なくとも上記下部ポート(１２a)寄りに設けられた上記絞り部(１４)の開口面積が、上記下部ヘッダ(１２)内の流路断面積の略１／２以下であることを特徴とする熱交換器。
【請求項３】
請求項１または２に記載の熱交換器において、
上記絞り部(１４)の開口の中心が上記下部ヘッダ(１２)の断面の中心よりも上側にあることを特徴とする熱交換器。
【請求項４】
請求項１乃至３のいずれか１つに記載の熱交換器において、
上記絞り部(１４)が、略円形の開口を有する仕切板であることを特徴とする熱交換器。
【請求項５】
請求項１乃至４のいずれか１つに記載の熱交換器において、
上記絞り部(１４)が、上記下部ヘッダ(１２)内に上記下部ポート(１２a)側から所定の間隔をあけて配置された複数の絞り部であって、
上記複数の絞り部の開口面積が上記下部ポート(１２a)側から徐々に大きくなっていることを特徴とする熱交換器。
【請求項６】
空気調和機用の蒸発器および凝縮器として切り換えて用いられる熱交換器であって、
冷媒が流入または流出する上部ポート(１１a)が一端に設けられ、他端が閉じられた上部ヘッダ(１１)と、
上記上部ヘッダ(１１)の上部ポート(１１a)に対向する一端が閉じられ、他端に冷媒が流入または流出する下部ポート(１２a)が設けられた下部ヘッダ(１２)と、
上記上部ヘッダ(１１)と上記下部ヘッダ(１２)との間に、互いに間隔をあけて略平行に接続された複数の扁平管(１３)と、
上記下部ヘッダ(１２)の下部ポート(１２a)から流入した冷媒が上記上部ヘッダ(１１)の上部ポート(１１a)に流れて蒸発器として働くとき、上記上部ヘッダ(１１)内の圧損分布に応じて、上記複数の扁平管(１３)に冷媒が略均一に流れるように上記下部ヘッダ(１２)内の圧損を調整する圧損調整手段(１４,１５)とを備えたことを特徴とする熱交換器。
【発明の詳細な説明】
【技術分野】
【０００１】
この発明は、空気調和機用の蒸発器および凝縮器として切り換えて用いられる熱交換器に関する。
【背景技術】
【０００２】
従来、熱交換器としては、上部ヘッダと下部ヘッダとの間に、互いに間隔をあけて略平行に接続された複数の扁平管を備えたものがある(例えば、特開平１０−１３２４２２号公報(特許文献１)参照)。
【０００３】
このような上部ヘッダと下部ヘッダとの間に複数の扁平管が接続された構成の熱交換器を、下部ヘッダから気液二相冷媒を流入させる蒸発器と、上部ヘッダからガス冷媒を流入させる凝縮器とを切り換えて空気調和機の熱交換器に用いることが考えられる。ところが、この熱交換器では、下部ヘッダから気液二相冷媒を流入させて蒸発器として用いるときに、下部ヘッダ内の圧損分布と上部ヘッダ内の圧損分布に差があるため、各扁平管に流入する冷媒量に偏りが生じ、蒸発器としての性能が低下するという問題がある。
【特許文献１】特開平１０−１３２４２２号公報
【発明の開示】
【発明が解決しようとする課題】
【０００４】
そこで、この発明の目的は、空気調和機用の蒸発器および凝縮器として切り換えて用いる熱交換器において、簡単な構成で冷媒偏流を低減でき、性能低下を防止できる熱交換器を提供することにある。
【課題を解決するための手段】
【０００５】
上記目的を達成するため、この発明の熱交換器は、空気調和機用の蒸発器および凝縮器として切り換えて用いられる熱交換器であって、冷媒が流入または流出する上部ポートが一端に設けられ、他端が閉じた上部ヘッダと、上記上部ヘッダの上部ポートに対向する一端が閉じられ、他端に冷媒が流入または流出する下部ポートが設けられた下部ヘッダと、上記上部ヘッダと上記下部ヘッダとの間に、互いに間隔をあけて略平行に接続された複数の扁平管とを備え、上記下部ヘッダ内の少なくとも上記下部ポート寄りに絞り部を設けたことを特徴とする。
【０００６】
上記構成の熱交換器によれば、上記上部ヘッダと下部ヘッダとの間に複数の扁平管が互いに間隔をあけて略平行に接続された熱交換器において、下部ヘッダ内の少なくとも下部ポート寄りに絞り部を設けることによって、蒸発器として用いるときに、下部ヘッダ側から気化して比体積が大きくなった冷媒が流れる上部ヘッダ内の圧力損失に対する差を解消するように、絞り部により下部ヘッダ内に圧損分布を設けることによって、下部ヘッダから各扁平管に流入する冷媒量に偏りが生じるのを抑制することが可能となる。したがって、空気調和機用の蒸発器および凝縮器として切り換えて用いる熱交換器において、簡単な構成で冷媒偏流を低減でき、性能低下を防止できる。
【０００７】
また、一実施形態の熱交換器は、上記下部ヘッダ内の少なくとも上記下部ポート寄りに設けられた上記絞り部の開口面積が、上記下部ヘッダ内の流路断面積の略１／２以下であることを特徴とする。
【０００８】
上記実施形態の熱交換器によれば、上記下部ヘッダ内の少なくとも下部ポート寄りに設けられた絞り部の開口面積を、下部ヘッダ内の流路断面積の略１／２以下にすることによって、蒸発器として用いるときに、少なくとも下部ポート側に設けられた絞り部により得られる圧損によって、下部ポートから流入する気液二相冷媒の偏流を効果的に抑制できる。ここで、「流路断面積」とは、流路の有効断面積のことである。
【０００９】
また、一実施形態の熱交換器は、上記絞り部の開口の中心が上記下部ヘッダの断面の中心よりも上側にあることを特徴とする。
【００１０】
上記実施形態の熱交換器によれば、上記絞り部の開口の中心が下部ヘッダの断面の中心よりも上側にすることによって、蒸発器として用いるときの下部ポートから流入する気液二相冷媒の偏流を効果的に抑制しつつ、このときの気液二相冷媒が絞り部を通過するときの圧損と、凝縮器として用いるときの液冷媒が絞り部を通過するときの圧損を調整して、蒸発器として用いるときのみに所望の圧損分布を設け、凝縮器として用いるときに絞り部が下部ヘッダの下部ポートから液冷媒が排出されるときの妨げとなって偏流が生じるのを防止できる。
【００１１】
また、一実施形態の熱交換器は、上記絞り部が、略円形の開口を有する仕切板であることを特徴とする。
【００１２】
上記実施形態の熱交換器によれば、略円形の開口を有する仕切板を上記絞り部に用いることによって、簡単な構成で下部ヘッダ内に絞り部を設けることができる。この場合、仕切板の開口の径を調整することにより、圧損を設定することが容易にできる。
【００１３】
また、一実施形態の熱交換器は、上記絞り部が、上記下部ヘッダ内に上記下部ポート側から所定の間隔をあけて配置された複数の絞り部であって、上記複数の絞り部の開口面積が上記下部ポート側から徐々に大きくなっていることを特徴とする。
【００１４】
上記実施形態の熱交換器によれば、上記下部ヘッダ内に下部ポート側から所定の間隔をあけて配置された複数の絞り部の開口面積を下部ポート側から徐々に大きくすることによって、下部ヘッダの圧損分布が下部ポート側から反対側の端に向かって徐々に小さくなるので、冷媒偏流を効果的に低減できる圧損分布を得ることができる。
【００１５】
また、この発明の熱交換器は、空気調和機用の蒸発器および凝縮器として切り換えて用いられる熱交換器であって、冷媒が流入または流出する上部ポートが一端に設けられ、他端が閉じられた上部ヘッダと、上記上部ヘッダの上部ポートに対向する一端が閉じられ、他端に冷媒が流入または流出する下部ポートが設けられた下部ヘッダと、上記上部ヘッダと上記下部ヘッダとの間に、互いに間隔をあけて略平行に接続された複数の扁平管と、上記下部ヘッダの下部ポートから流入した冷媒が上記上部ヘッダの上部ポートに流れて蒸発器として働くとき、上記上部ヘッダ内の圧損分布に応じて、上記複数の扁平管に冷媒が略均一に流れるように上記下部ヘッダ内の圧損を調整する圧損調整手段とを備えたことを特徴とする。
【００１６】
上記構成の熱交換器によれば、蒸発器として用いるときに、上部ヘッダ内の圧損分布に応じて、圧損調整手段により複数の扁平管に冷媒が略均一に流れるように下部ヘッダ内の圧損を調整するので、下部ヘッダから各扁平管に流入する冷媒量に偏りが生じるのを抑制することが可能となる。したがって、空気調和機用の蒸発器および凝縮器として切り換えて用いる熱交換器において、簡単な構成で冷媒偏流を低減でき、性能低下を防止できる。
【発明の効果】
【００１７】
以上より明らかなように、この発明の熱交換器によれば、簡単な構成で蒸発器および凝縮器のいずれにおいても冷媒の偏流を低減でき、蒸発器と凝縮器として切り換えて用いる空気調和機用に好適な変換効率のよい熱交換器を実現することができる。
【００１８】
また、一実施形態の熱交換器によれば、上記下部ヘッダ内の少なくとも下部ポート側に設けられた絞り部の開口面積を、下部ヘッダ内の流路断面積の略１／２以下にすることによって、蒸発器として用いるときに、少なくとも下部ポート側に設けられた絞り部により得られる圧損によって気液二相冷媒の偏流を効果的に抑制することができる。
【００１９】
また、一実施形態の熱交換器によれば、上記絞り部の開口の中心が下部ヘッダの断面の中心よりも上側にすることによって、蒸発器として用いるときに気液二相冷媒が通過するときの圧損と、凝縮器として用いるときに液冷媒が通過するときの圧損を調整して、絞り部が下部ヘッダの下部ポートから液冷媒を排出するときの妨げとならないようにして、凝縮器として用いるときにも冷媒偏流を防止することができる。
【００２０】
また、一実施形態の熱交換器によれば、略円形の開口を有する仕切板を上記絞り部に用いることによって、簡単な構成で下部ヘッダ内に絞り部を設けることができる。
【００２１】
また、一実施形態の熱交換器によれば、上記下部ヘッダ内に下部ポート側から所定の間隔をあけて配置された複数の絞り部の開口面積を下部ポート側から徐々に大きくすることによって、下部ヘッダの圧損分布が下部ポート側から反対側の端に向かって徐々に小さくなるので、冷媒偏流を効果的に少なくできる圧損分布を得ることができる。
【００２２】
また、この発明の熱交換器によれば、空気調和機用の蒸発器および凝縮器として切り換えて用いられる熱交換器であって、冷媒が流入または流出する上部ポートが一端に設けられ、他端が閉じられた上部ヘッダと、上記上部ヘッダの上部ポートに対向する一端が閉じられ、他端に冷媒が流入または流出する下部ポートが設けられた下部ヘッダと、上記上部ヘッダと上記下部ヘッダとの間に、互いに間隔をあけて略平行に接続された複数の扁平管と、上記下部ヘッダの下部ポートから流入した冷媒が上記上部ヘッダの上部ポートに流れて蒸発器として働くとき、上記上部ヘッダ内の圧損分布に応じて、上記複数の扁平管に冷媒が略均一に流れるように上記下部ヘッダ内の圧損を調整する圧損調整手段とを備えたことを特徴とする。
【００２３】
上記実施形態の熱交換器によれば、蒸発器として用いるときに、上部ヘッダ内の圧損分布に応じて、圧損調整手段により複数の扁平管に冷媒が略均一に流れるように下部ヘッダ内の圧損を調整するので、簡単な構成で蒸発器および凝縮器のいずれにおいても冷媒偏流を低減でき、性能低下を防止できる。
【発明を実施するための最良の形態】
【００２４】
以下、この発明の熱交換器を図示の実施の形態により詳細に説明する。
【００２５】
図１はこの発明の実施の一形態の空気調和機用の蒸発器および凝縮器として切り換えて用いられる熱交換器の斜視図である。この実施の一形態の熱交換器１０は、図１に示すように、冷媒が流入または流出する上部ポート１１aが一端に設けられ、他端が閉じた円筒形状の上部ヘッダ１１と、上記上部ヘッダ１１の上部ポート１１aに対向する一端が閉じられ、他端に冷媒が流入または流出する下部ポート１２aが設けられた円筒形状の下部ヘッダ１２と、所定の間隔をあけて略並行に配列された上部ヘッダ１１と下部ヘッダ１２との間に、互いに間隔をあけて略平行に接続された複数の扁平管１３とを備えている。なお、複数の扁平管１３の間には、アルミニウム板が積層された放熱フィンが取り付けられ、放熱フィンの結露水は、扁平管１３に沿って滴下する。
【００２６】
上記熱交換器１０の下部ヘッダ１２内に、圧損調整手段の一例としての４つの絞り部１４を所定の間隔をあけて配置している。上記絞り部１４は、略円形の開口１４aを有する円形の仕切板である(図１の下側に示す)。上記絞り部１４の開口１４aは、その中心が下部ヘッダ１２の断面の中心と略同じ位置になるように設けている。
【００２７】
上記下部ヘッダ１２内に下部ポート１２a側から等間隔に第１,第２,第３,第４の絞り部１４を配置している。すなわち、下部ヘッダ１２の下部ポート１２aと第１の絞り部１４との間、第１,第２の絞り部１４間、および、第３,第４の絞り部１４間に略同一の長さの区画が夫々形成され、第４の絞り部１４と下部ヘッダ１２の下部ポート１２aの反対側の端との間に区画が形成されている。
【００２８】
上記構成の熱交換器１０において、蒸発器として用いる場合、下部ヘッダ１２の下部ポート１２aから気液二相冷媒が流入する(矢印Ｒ1)。そして、下部ヘッダ１２で分流された気液二相冷媒は、複数の扁平管１３内を上昇しつつ蒸発して、蒸発したガス冷媒が上方に流れて上部ヘッダ１１を介して上部ポート１１aから出る。
【００２９】
図２(a)は、蒸発器として用いたときの熱交換器１０の下部ヘッダ１２の要部の断面を示す模式図であり、図２(a)は下部ヘッダ１２内に図１に示す絞り部１４が配置された冷媒の状態を示している。図２(a)において、左側にある下部ヘッダ１２の下部ポート１２a(図１に示す)から流入した気液二相冷媒が絞り部１４の開口１４aを介して絞り部１４の下流の区画に流入する。このとき、気液二相冷媒がガス冷媒と液冷媒に分離され、分離されたガス冷媒は、絞り部１４の開口１４aを通ると共に、分離された液冷媒は、下部ヘッダ１２内の下側に溜まった後、絞り部１４の開口１４aを乗り越えて右側の区画に流れ込むことになる。こうして、下部ポート１２a(図１に示す)から流入した気液二相冷媒は４つの絞り部１４を介して下流側の区画に流れた後、それぞれの区画の上側に接続された複数の扁平管１３に分流され、各扁平管１３内を上昇しつつ蒸発する。そうして、複数の扁平管１３内で蒸発した冷媒は、複数の扁平管１３を介して上部ヘッダ１１で合流した後、上部ヘッダ１１の上部ポート１１aから流出する。
【００３０】
また、図２(b)は、圧損調整手段の他の例としての絞り部１５が下部ヘッダ１２内に配置された熱交換器１０を蒸発器として用いたときの冷媒の状態を示しており、この絞り部１５の開口１５aの中心は、下部ヘッダ１２の断面の中心よりも高い位置に設けている。この場合、下部ポート１２a(図１に示す)から流入した気液二相冷媒から分離した液冷媒は、下部ヘッダ１２内の下側に溜まった後、図２(a)に示す絞り部１４の開口１４aよりも高い位置の絞り部１５の開口１５aを乗り越えて右側の区画に流れ込む。したがって、図２(b)に示す絞り部１５の開口１５aは、図２(a)に示す絞り部１４の開口１４aよりも液冷媒の通過量が制限される。
【００３１】
また、図２(c)は、図２(b)に示す絞り部１５が下部ヘッダ１２内に配置された熱交換器１０を凝縮器として用いたときの冷媒の状態を示しており、この場合は、下部ヘッダ１２内に液冷媒が満たされ、絞り部１５の開口１５aの位置にかかわらず、圧損が一定となる。
【００３２】
図３(a)は図４に示す比較例の熱交換器２０を蒸発器として用いたときの冷媒の状態分布を示し、図３(b)は上記熱交換器２０を凝縮器として用いたときの冷媒の状態分布を示している。図４に示す熱交換器２０は、比較のために熱交換器１０の構成から絞り部１４を除去したものであり、絞り部１４を除いて図１に示す熱交換器１０と同一の構成をしており、２１は上部ヘッダ、２１aは上部ポート、２２aは下部ポート、２３は扁平管である。
【００３３】
図３(a)に示すように、熱交換器２０を蒸発器として用いるときは、気液二相冷媒が左下側コーナーの下部ポート２２a(図４に示す)から流入し(矢印Ｒ11)、下部ポート２２aとは対角側である右上側コーナーの上部ポート２１a(図４に示す)から冷媒が流出する(矢印Ｒ12)。この場合、二相域および過熱域の分布は、図３(a)に示すように、複数の扁平管２３に分流する冷媒に偏りがあり、左側の大部分の領域が過熱域となっており、下側かつ右側のわずかな領域が二相域となっている。このため、この熱交換器２０の蒸発器としての効率が悪い。ここで、「二相域」とは、冷媒が気相と液相が混じり合った気液二相状態となっている領域のことであり、「過熱域」とは、冷媒が過熱蒸気となっている領域のことである。
【００３４】
一方、図３(b)に示すように、熱交換器２０を凝縮器として用いたときは、気液二相冷媒が右上側コーナーの上部ポート２１a(図４に示す)から流入し、左下側コーナーの下部ポート２２a(図４に示す)から冷媒が流出する。この場合、二相域および過熱域の分布は、図３(b)に示すように、上側の大部分が二相域となり、下側の一部領域が過冷却域となっており、冷媒の流れに偏流などの問題はない。ここで、「過冷却域」とは、凝縮された液冷媒が所定圧力下において飽和温度よりもさらに冷却された状態となっている領域のことである。
【００３５】
次に、図３(c),(d)は、本発明の実施の形態の熱交換器１０において、絞り部１４の開口１４aの中心が下部ヘッダ１２の断面の中心と略同じ位置に設けられているときの冷媒の状態分布を示している。なお、このときの絞り部１４の開口１４aの開口面積を下部ヘッダ１２の流路断面積の５％としている。
【００３６】
図３(c)に示すように、熱交換器１０を蒸発器として用いるときは、気液二相冷媒が左下側コーナーの下部ポート１２a(図１に示す)から流入し、下部ポート１２aとは対角側である右上側コーナーの上部ポート１１a(図１に示す)から冷媒が流出する。この場合、二相域および過熱域の分布は、図３(c)に示すように、複数の扁平管１３に分流する冷媒の偏りが少なくなり、左上側の略三角部分の領域が過熱域となっており、その下側の領域が二相域となっている。このため、この熱交換器１０の蒸発器としての効率は、比較例の熱交換器２０に比べて大幅に向上している。
【００３７】
一方、図３(d)に示すように、熱交換器１０を凝縮器として用いたときは、気液二相冷媒が右上側コーナーの上部ポート２１a(図４に示す)から流入し、左下側コーナーの下部ポート２２a(図４に示す)から冷媒が流出する。この場合、二相域および過熱域の分布は、図３(b)に示すように、上側の大部分が二相域となり、下側の一部領域が過冷却域となっており、冷媒の流れに偏流などの問題はない。ここで、熱交換器１０の下部ヘッダ１２内に設けられた絞り部１４により、過冷却域が階段状になっているが、凝縮器の能力に大きな影響はない。
【００３８】
次に、図３(e),(f)は、本発明の実施の形態の熱交換器１０において、図２(b)に示す絞り部１を用いたときの冷媒の状態分布を示している。なお、このときの絞り部１５の開口１５aの開口面積を下部ヘッダ１２の流路断面積の５％とし、開口１５aを下部ヘッダ１２の断面の中心よりも６ｍｍ高い位置に設けている。この下部ヘッダ１２の流路断面積は、３２０ｍｍ2である。
【００３９】
図３(e)に示すように、熱交換器１０を蒸発器として用いるときは、気液二相冷媒が左下側コーナーの下部ポート１２a(図１に示す)から流入し、下部ポート１２aとは対角側である右上側コーナーの上部ポート１１a(図１に示す)から冷媒が流出する。この場合、二相域および過熱域の分布は、図３(e)に示すように、複数の扁平管１３に分流する冷媒の偏りが少なくなり、左上側の略三角部分の過熱域が図３(c)よりも小さくなっており、その下側の領域が二相域となっている。このため、この熱交換器１０の蒸発器としての効率は、比較の熱交換器２０に比べて大幅に向上している。
【００４０】
一方、図３(f)に示すように、熱交換器１０を凝縮器として用いたときは、気液二相冷媒が右上側コーナーの上部ポート２１a(図４に示す)から流入し、左下側コーナーの下部ポート２２a(図４に示す)から冷媒が流出する。この場合、二相域および過熱域の分布は、図３(f)に示すように、上側の大部分が二相域となり、下側の一部領域が過冷却域となっており、冷媒の流れに偏流などの問題はない。ここで、熱交換器１０の下部ヘッダ１２内に設けられた絞り部１４により、過冷却域が右側から左側に向かって徐々に細くなる略三角形状になって、図３(d)に示す階段状の過冷却域よりも小さくなり、凝縮器の能力は図３(d)の熱交換器よりも高くなる。
【００４１】
このように、上記構成の熱交換器によれば、簡単な構成で蒸発器および凝縮器のいずれにおいても冷媒の偏流を低減でき、蒸発器と凝縮器として切り換えて用いる空気調和機用に好適な変換効率のよい熱交換器を実現することができる。
【００４２】
また、上記下部ヘッダ１２の少なくとも下部ポート１２a側に設けられた絞り部１４の開口面積を、下部ヘッダ１２内の流路断面積の略１／２以下にすることによって、蒸発器として用いるときに、少なくとも下部ポート１２a側に設けられた絞り部１４により得られる圧損によって、気液二相冷媒の偏流を効果的に抑制することができる。
【００４３】
また、図２(b)に示すように、絞り部１５の開口１５aの中心を下部ヘッダ１２の断面の中心よりも上側にすることによって、蒸発器として用いるときの気液二相冷媒が絞り部１５を通過するときの圧損と、凝縮器として用いるときの液冷媒が絞り部１５を通過するときの圧損を調整することが可能となる。これにより、上記絞り部１５を下部ヘッダ１２の下部ポート１２aから液冷媒を排出するときの妨げとならないようにでき、冷媒偏流を防止することができる。
【００４４】
また、上記絞り部１４に略円形の開口１４aを有する仕切板を用いることによって、簡単な構成で下部ヘッダ１２内に絞り部１４を設けることができ、加工が容易になると共に、コストを低減することができる。
【００４５】
上記実施の形態では、複数の扁平管１３を介して接続された上部ヘッダ１１と下部ヘッダ１２を円筒形状としたが、四角柱などの断面多角形の角柱形状としてもよい。この場合、絞り部１４は、下部ヘッダ１２内の断面形状に応じた形状のものであればよい。また、下部ヘッダ１２内の絞り部１４は、仕切板に開口を設けたものに限らず、下部ヘッダ内に内嵌された円柱または角柱に貫通穴を設けたものなどであってもよい。
【００４６】
上記実施の形態では、下部ヘッダ１２内に配置された４つの絞り部１４の開口１４aの大きさを略同じとしたが、各絞り部１４の開口面積が下部ポート１２a側から徐々に大きくなるようにしてもよい。この場合、下部ヘッダ１２内において、下部ポート１２a側から反対側の端に向かって徐々に圧力損失が低くなった圧損分布が得られ、冷媒の偏流を効果的に低減できる。
【００４７】
上記実施の形態では、下部ヘッダ１２内に４つの絞り部１４を等間隔に配置したが、絞り部の数や位置はこれに限らず、下部ヘッダの全長や絞り部の開口面積などに応じて、冷媒の偏流を少なくする所望の圧損分布が得られるように適宜設定してよい。なお、上記下部ヘッダ内の絞り部は、下部ヘッダ内において液冷媒を分配する上で少なくとも下部ポー側に絞り部を設けるのが好ましい。
【図面の簡単な説明】
【００４８】
【図１】図１はこの発明の実施の一形態の熱交換器の斜視図である。
【図２】図２(a)は蒸発器として用いたときの熱交換器の要部の断面を示す模式図であり、図２(b)は他の例の絞り部が下部ヘッダ内に配置された熱交換器を蒸発器として用いたときの冷媒の状態を示す模式図であり、図２(c)は図２(b)に示す熱交換器を凝縮器として用いたときの冷媒の状態を示す模式図である。
【図３】図３(a),(b)は図４に示す比較例の熱交換器の冷媒の状態分布を示す図であり、図３(c),(d)は図１に示す熱交換器の冷媒の状態分布を示す図であり、図３(e),(f)は図２(b)に示す他の例の絞り部を用いた図１に示す熱交換器の冷媒の状態分布を示す図である。
【図４】図４は比較のための熱交換器の図である。
【符号の説明】
【００４９】
１０,２０…熱交換器
１１,２１…上部ヘッダ
１１a,２１a…上部ポート
１２,２２…下部ヘッダ
１２a,２２a…下部ポート
１３,２３…扁平管
１４,１５…絞り部
１４a,１５a…開口
【図１】
2006029700.tif 000003
【図２】
2006029700.tif 000004
【図３】
2006029700.tif 000005
【図４】
2006029700.tif 000006